(57)【要約】【課題】画像の画質パラメータが多段階で調整可能である画像表示装置において、画質パラメータの各段階に対応した複数のサンプル画像を、容易に判別可能な大きさでユーザに提示する画像表示装置を提供する。【解決手段】本発明の画像表示装置は、表示部に表示される画像の画質パラメータを調整可能であり、Ｎは３以上の整数であって、画質パラメータの値が異なるＮ個のサンプル画像を示す画質調整画面が表示部に表示された状態にて、２個のサンプル画像が選択されると、画質パラメータの値がこれら２個のサンプル画像の値の間であるＮ個又はＮ個未満のサンプル画像を示すように画質調整画面を変更する。また、本発明の画像表示装置は、Ｎ個又はＮ個未満のサンプル画像を示す画質調整画面が表示部に表示された状態にて、１個のサンプル画像が選択されると、表示部に表示される画像の画質パラメータの値を、選択されたサンプル画像の値に設定する。【選択図】図４
2007147828.tif 000002
【特許請求の範囲】
【請求項１】
表示部に表示される画像の画質パラメータを調整可能な画像表示装置において、
Ｎは３以上の整数であって、前記画質パラメータの値が異なるＮ個のサンプル画像を示す画質調整画面が前記表示部に表示された状態にて、２個のサンプル画像が選択されると、前記画質パラメータの値が前記２個のサンプル画像の値の間であるＮ個又はＮ個未満のサンプル画像を示すように前記画質調整画面を変更し、
Ｎ個又はＮ個未満のサンプル画像を示す画質調整画面が前記表示部に表示された状態にて、１個のサンプル画像が選択されると、前記表示部に表示される画像の画質パラメータの値を、選択されたサンプル画像の値に設定することを特徴とする画像表示装置。
【請求項２】
前記画質調整画面が前記表示部に表示された状態にて、２個のサンプル画像が選択されると、前記画質パラメータの値が前記２個のサンプル画像の値の間であって、前記２個のサンプル画像を含むＮ個又はＮ個未満のサンプル画像を示すように前記画質調整画面を変更する、請求項１に記載の画像表示装置。
【請求項３】
前記表示部の表示領域を覆うタッチパネルを具えており、サンプル画像の選択は前記タッチパネルを用いて行われる、請求項１又は請求項２に記載の画像表示装置。
【請求項４】
画像を表示する表示手段と、Ｎは３以上の整数であって、画質パラメータの値が異なるＮ個又はＮ個未満のサンプル画像を示す画質調整画面を作成する画質調整手段と、前記画質調整画面が前記表示部に表示された状態にて、１又は２個のサンプル画像を選択する選択手段とを具えており、
前記画質調整手段は、Ｎ個のサンプル画像を示す前記画質調整画面から２個のサンプル画像が選択されると、前記画質パラメータの値が、前記２個のサンプル画像の値の間であるＮ個又はＮ個未満のサンプル画像を示すようにこの画質調整画面を変更し、Ｎ個又はＮ個未満のサンプル画像を示す画質調整画面から１個のサンプル画像が選択されると、前記表示手段に表示される画像の画質パラメータの値を、選択されたサンプル画像の値に設定する画像表示装置。
【請求項５】
前記画質調整手段は、Ｎ個のサンプル画像を示す画質調整画面から２個のサンプル画像が選択されると、記画質パラメータの値が前記２個のサンプル画像の値の間であって、前記２個のサンプル画像を含むＮ個又はＮ個未満のサンプル画像を示すように前記画質調整画面を変更する、請求項４に記載の画像表示装置。
【請求項６】
前記選択手段はタッチパネルを含む、請求項４又は請求項５に記載の画像表示装置。
【請求項７】
画像表示装置に表示される画像の画質パラメータを調整する画質調整方法において、
Ｎは３以上の整数であって、前記画質パラメータの値が異なるＮ個のサンプル画像を示す画質調整画面を表示部に表示するステップと、
前記画質調整画面が前記表示部に表示された状態にて、２個のサンプル画像が選択されると、前記画質パラメータの値が前記２個のサンプル画像の値の間であるＮ個又はＮ個未満のサンプル画像を示すように前記画質調整画面を変更するステップと、
Ｎ個又はＮ個未満のサンプル画像を示す画質調整画面が前記表示部に表示された状態にて、１個のサンプル画像が選択されると、前記表示部に表示される画像の画質パラメータの値を、選択されたサンプル画像の値に設定するステップとを含んでいることを特徴とする画質調整方法。
【請求項８】
前記画質調整画面が前記表示部に表示された状態にて、２個のサンプル画像が選択されると、前記画質パラメータの値が前記２個のサンプル画像の値の間であって、前記２個のサンプル画像を含むＮ個又はＮ個未満のサンプル画像を示すように前記画質調整画面を変更するステップを含む、請求項７に記載の画質調整方法。
【発明の詳細な説明】
【技術分野】
【０００１】
本発明は、動画像や静止画像を表示するテレビジョン装置、カーナビゲーション装置及びデジタルカメラ等の画像表示装置に関しており、より詳細には、表示される画像の画質を自在に調整する機能を有する画像表示装置に関する。
【背景技術】
【０００２】
動画像や静止画像を表示する機能を有するテレビジョン装置、カーナビゲーション装置及びデジタルカメラ等の電子機器(以下、「画像表示装置」と称する)では、表示部に表示される画像の画質を自在に調整できる機能が設けられており、ユーザは、画像表示装置の使用環境や自己の好みに応じて、画像表示装置に表示される画像の明るさやコントラスト等を調整できる。
【０００３】
一般的な画像表示装置において、ユーザによる画質調整は、画像表示装置又は付属のリモートコントローラに設けられた操作キーを操作することで行われている。ユーザは、調整を行う画質パラメータ(例えば、画像の明るさ)を選択して、例えばアップキーやダウンキーを操作して、表示部に表示されている画像の変化を見ながら画質を調整する。しかしながら、このような画質の調整操作では、所望の画質が得られるまでユーザがキー操作を繰り返すので、時間と手数が必要とされる。
【０００４】
このような問題に対応することを目的として提案された画像表示装置の１つに、画質が異なる複数のサンプル画像を同時に表示するテレビジョン装置がある(特許文献１参照)。表示されたサンプル画像から所望の画質を有するサンプル画像が、ユーザにより選択されると、選択されたサンプル画像に応じた設定が行われて、テレビジョン装置に表示される画像の画質が容易に調整される。
【０００５】
【特許文献１】特開２００１−１１９６４４号公報
【発明の開示】
【発明が解決しようとする課題】
【０００６】
ある画質パラメータが多段階(例えば、６〜８段階以上)で調整可能である場合に、その画質パラメータの調整において、上記のテレビジョン装置のような構成を採用すると、画質パラメータの各段階に対応した多数のサンプル画像が一度に表示部に表示されることになる。しかしながら、多数のサンプル画像が一度に表示部に表示されると、表示部の表示領域の大きさが比較的小さい画像表示装置、例えば、車載用のテレビジョン装置、カーナビゲーション装置やデジタルカメラでは、個々のサンプル画像が小さくなってしまって、各サンプル画像の画質(又は、サンプル画像の間における画質の差違)の把握が困難になる。故に、サンプル画像の選択に要する時間が長くなり、また、サンプル画像を用いた画質調整がされても、ユーザが満足できる画質が得られずに、画質調整が再度行われる事態が生じてしまう。特に、車載用のテレビジョン装置やカーナビゲーション装置では、ドライバーが運転中に画質の調整を行う事態もあり得ることから、多数の小さなサンプル画像が一度に表示されると、それらの識別にドライバーの意識が集中してしまい、運転ミスや不注意による事故が起こる可能性が高まってしまう。
【０００７】
本発明は、上記の問題を解決するものであって、比較的小型の表示部を有しており、その表示部に表示される画像の画質パラメータが多段階で調整可能である画像表示装置であっても、画質パラメータの各段階に対応した複数のサンプル画像を、容易に判別可能な大きさでユーザに提示できる画像表示装置と画質調整方法を提供する。
【課題を解決するための手段】
【０００８】
本発明の画像表示装置は、表示部に表示される画像の画質パラメータを調整可能な画像表示装置において、Ｎは３以上の整数であって、前記画質パラメータの値が異なるＮ個のサンプル画像を示す画質調整画面が前記表示部に表示された状態にて、２個のサンプル画像が選択されると、前記画質パラメータの値が前記２個のサンプル画像の値の間であるＮ個又はＮ個未満のサンプル画像を示すように前記画質調整画面を変更し、Ｎ個又はＮ個未満のサンプル画像を示す画質調整画面が前記表示部に表示された状態にて、１個のサンプル画像が選択されると、前記表示部に表示される画像の画質パラメータの値を、選択されたサンプル画像の値に設定することを特徴とする。
【０００９】
本発明の画像表示装置は、画像を表示する表示手段と、Ｎは３以上の整数であって、画質パラメータの値が異なるＮ個又はＮ個未満のサンプル画像を示す画質調整画面を作成する画質調整手段と、前記画質調整画面が前記表示部に表示された状態にて、１又は２個のサンプル画像を選択する選択手段とを具えており、前記画質調整手段は、Ｎ個のサンプル画像を示す画質調整画面から２個のサンプル画像が選択されると、前記画質パラメータの値が、前記２個のサンプル画像の値の間であるＮ個又はＮ個未満のサンプル画像を示すようにこの画質調整画面を変更し、Ｎ個又はＮ個未満のサンプル画像を示す画質調整画面から１個のサンプル画像が選択されると、前記表示手段に表示される画像の画質パラメータの値を、選択されたサンプル画像の値に設定する。
【００１０】
本発明の画質調整方法は、画像表示装置に表示される画像の画質パラメータを調整する画質調整方法において、Ｎは３以上の整数であって、前記画質パラメータの値が異なるＮ個のサンプル画像を示す画質調整画面を表示部に表示するステップと、前記画質調整画面が前記表示部に表示された状態にて、２個のサンプル画像が選択されると、前記画質パラメータの値が前記２個のサンプル画像の値の間であるＮ個又はＮ個未満のサンプル画像を示すように前記画質調整画面を変更するステップと、Ｎ個又はＮ個未満のサンプル画像を示す画質調整画面が前記表示部に表示された状態にて、１個のサンプル画像が選択されると、前記表示部に表示される画像の画質パラメータの値を、選択されたサンプル画像の値に設定するステップとを含んでいることを特徴とする。
【発明の効果】
【００１１】
上記構成によれば、画質パラメータが多段階で調整可能な場合において、サンプル画像を過剰に小さくすることなくユーザに提示することができ、特に、画像の表示領域が小さな画像表示装置においても、画質の差を容易に識別できるような大きさで複数のサンプル画像を表示できる。また、画質調整画面では、画質パラメータの値が異なるＮ個以下又はＮ個未満のサンプル画像が示されており、２個のサンプル画像が選択されると、画質パラメータの値が、これら２個のサンプル画像の値の間である複数のサンプル画像を示すように画質調整画面が変更されるので、ユーザは、画質調整画面に示されたサンプル画像の画質を相対的に把握しながら、所望の画質を有するサンプル画像を容易に特定できる。本発明においては、タッチパネルを用いてサンプル画像が選択されると非常に効果的である。また、画質調整画面の変更の前後におけるサンプル画像間の関係を、ユーザが理解し易くするために、変更された画質調整画面のサンプル画像には、選択された２個のサンプル画像が含まれるのが好ましい。なお、画質パラメータが連続的に調整可能な画質調整画面に、本発明が適用されてもよい。
【発明を実施するための最良の形態】
【００１２】
以下、本発明を図を用いて説明する。図１は、本発明の第１実施例であるテレビジョン装置の概要を示すブロック図である。テレビジョン装置(1)は、デジタルテレビジョン放送の受信及び再生を行う画像表示装置であって、チューナー(3)は、アンテナ(5)を介して受信した信号を復調して信号処理部(7)に送る。信号処理部(7)は、チューナー(3)から送られるＴＳ(Transport Stream)信号から動画像信号や音声信号等を分離する処理や、分離された動画像信号の復号処理などを行う。信号処理部(7)で分離及び処理された動画像信号は、バッファメモリ(9)に一旦記憶されて、フレーム単位で逐次読み出される。バッファメモリ(9)から読み出された１フレーム分の画像データは、画質調整部(11)に送られて、明るさ、コントラスト、ガンマ値、色相、及び彩度等の画質パラメータについて調整される。画像データは、その後、画質調整部(11)から表示制御部(13)に送られる。表示制御部(13)は、ＶＲＡＭ(Video Random Access Memory)、ＯＳＤ(On Screen Display)回路及びビデオエンコーダ等で構成されており、画質調整部(11)から送られた画像データに基づいて表示部(15)に画像を表示する。表示部(15)には、液晶表示装置やＥＬ(Electro Luminescence)表示装置等が使用される。変倍部(17)は、後述する画質調整動作において画質調整画面が作成される際に、画像データのサイズを変更する処理を行う。音声信号等の処理については、本発明と関係がないので説明を省略する。
【００１３】
ＣＰＵ(Central Processing Unit)(19)は、テレビジョン装置(1)に関する各種制御や処理を統括的に実行する。ＲＡＭ(Random Access Memory)(21)は、ＣＰＵ(19)のワークエリアとして使用され、ＲＯＭ(Read Only Memory)(23)には、ＣＰＵ(19)で実行されるプログラムが記憶される。書換え可能な不揮発性の記憶手段であるフラッシュメモリ(25)には、表示部(15)に表示される画像の各種画質パラメータの値が記憶されており、これらの値は、ユーザによって設定又は変更可能である。ＣＰＵ(19)は、フラッシュメモリ(25)に記憶された画質パラメータの値に基づいて画質の調整が行われるように、画質調整部(11)を制御する。本実施例のテレビジョン装置(1)は、操作手段として、各種操作キー(27)と、表示部(15)の表示領域を覆うように配置されたタッチパネル(29)とを具えており、操作制御部(31)は、操作キー(27)又はタッチパネル(29)から送られる入力信号を処理して、これらの操作に応じた動作コマンドをＣＰＵ(19)に送る。
【００１４】
テレビジョン装置(1)では、画質パラメータの値を、一定の間隔で段階的に設定された複数の値から選択して変更することが可能である(しかしながら、間隔が一定でなくとも本発明は実施可能である)。画質の調整は、画質パラメータの値に対応したサンプル画像を表示部(15)に表示して、ユーザが所望の画質を有するサンプル画像を選択することで行われる。図２は、テレビジョン装置(1)の画質調整動作を示すフローチャートである。この画質調整動作を記述したプログラムは、ＲＯＭ(23)に記憶されており、ＣＰＵ(19)により実行される。まず、動画像の全画面表示中に、ユーザが操作キー(27)を操作して画質調整動作の実行が指示されると、表示制御部(13)は、画質パラメータの選択用の画面を、表示部(15)にオンスクリーン表示する(Ｓ１)。当該画面には、明るさ、コントラスト及びガンマ値等の各種画質パラメータを示す文字列が含まれており、ユーザは、調整を希望する画質パラメータを示す文字列をタッチパネル(29)を操作して選択する(Ｓ３)。
【００１５】
ステップＳ３の後、ステップＳ３で選択された画質パラメータについて、その値が異なるＮ個のサンプル画像を示す画質調整画面を表示部(15)に表示する処理が行われる(Ｓ５)。ここでＮは、画質調整動作において一度に表示されるサンプル画像の最大数であって、３以上の整数である。ステップＳ５では、画質パラメータが最大値であるサンプル画像と、画質パラメータが最小値であるサンプル画像と、画質パラメータの値が最大値未満であって最小値より大きいＮ−２個のサンプル画像とが表示される。Ｎ−２個のサンプル画像の画質パラメータの値は、Ｎ個のサンプル画像における画質パラメータの値の差が均等になるように(又はなるべく均等になるように)定められるのが好ましく、また、最大数Ｎと画質パラメータの値の段階数とは、ステップＳ５において、Ｎ個のサンプル画像の値の差が均等になるように(又はなるべく均等になるように)定められているのが好ましい。例えば、画質パラメータの段階数が１９に、最大数Ｎが４に定められている場合、ステップＳ５では、画質パラメータが最大値であるサンプル画像と、画質パラメータが上から７番目の値であるサンプル画像と、画質パラメータが上から１３番目の値であるサンプル画像と、画質パラメータが最小値(上から１９番目の値)であるサンプル画像とを示す画像調整画面が表示される。
【００１６】
図３は、ステップＳ５におけるサンプル画像の表示処理、つまり画質調整画面の表示処理を示すフローチャートである。まず、バッファメモリ(9)から１フレーム分の画像データが読み出される(Ｓ３１)。ステップＳ３１の後、画質調整部(11)にて、画質パラメータが(サンプル画像を作成すべき)Ｎ個の値の１つになるように、読み出された画像データを変更する処理が行われる(Ｓ３３)。その後、変倍部(17)にて、画像データの画像サイズを縮小する変倍処理が行われる(Ｓ３５)。変倍処理された画像データ、つまりサンプル画像データは、表示制御部(13)に送られる。ステップＳ３５の後、サンプル画像データを作成すべき画質パラメータの次の値があるか否かが判断される(Ｓ３７)。次の値がある場合、ステップＳ３１乃至３５が再度行われて、その値についてサンプル画像データを作成する処理が行われる。ステップＳ３７にて、画質パラメータの次の値がないと判断された場合、つまりＮ個の値の全てについてサンプル画像データが作成された場合、表示制御部(13)は、Ｎ個のサンプル画像を示す画質調整画面を表示部(15)に表示する処理を行う(Ｓ３９)。表示制御部(13)では、変倍部(17)から送られるＮ個のサンプル画像データを用いて画質調整画面用の画像データが作成されて、ステップＳ３９では、その画像データに基づいて、画質調整画面が表示部(15)に表示される。なお、動画像の全画面表示が再度行われるまで、つまり画質調整動作が完了するまで、ステップＳ５(又はＳ３１)にて読み出される画像データはバッファメモリ(9)にて保持される。
【００１７】
ステップＳ５が実行されて、画質パラメータが最大値及び最小値であるサンプル画像を含むＮ個のサンプル画像が表示部(15)に表示されると、ユーザによるサンプル画像の選択が行われる。サンプル画像の選択は、タッチパネル(29)を用いて行われ、表示されているサンプル画像(上のタッチパネル(29)の領域)が押されると、そのサンプル画像が選択される。なお、サンプル画像の選択は、操作キー(27)を用いて行われてもよい。テレビジョン装置(1)では、１個のサンプル画像を選択することと、２個のサンプル画像を選択することとが可能である。例えば、あるサンプル画像が押されると、その画像サンプルが選択されて、異なる２個のサンプル画像が同時に(又は非常に短い時間内に)押されると、それら２個のサンプル画像が選択される。
【００１８】
ＣＰＵ(19)は、操作制御部(31)から送られる信号に基づいて、どのサンプル画像が選択されたかを特定する(Ｓ７)。１個のサンプル画像が選択された場合には、フラッシュメモリ(25)に記憶されている画質パラメータの値が、選択されたサンプル画像の値に変更されると共に、動画像の画質パラメータが当該値になるように動画像の全画面表示が再開される(Ｓ９)。これにて、画質調整動作は終了する。
【００１９】
ステップＳ７にて、２個のサンプル画像が選択されたと判断された場合、新たに表示すべきサンプル画像があって画質調整画面の変更が必要であるか否かが判断される(Ｓ１１)。ステップＳ１１にて、新たに表示すべきサンプル画像があると判断された場合、選択されたサンプル画像間における画質パラメータの段階数が最大数Ｎ以上であるか否かが判断される(Ｓ１３)。ステップＳ１３にて、画質パラメータの段階数が最大数Ｎ以上であると判断された場合、画質調整画面が変更されて、選択された２個のサンプル画像を含む、画質パラメータの値が段階的に変化するＮ個のサンプル画像が表示部(15)に表示される(Ｓ１５)。ステップＳ１５では、図３と同様の処理が実行され、Ｎ個のサンプル画像の画質パラメータの値ができるだけ均等に変化するように、選択された２個のサンプル画像以外のＮ−２個のサンプル画像について、画質パラメータの値が選択される。ステップＳ１３にて、画質パラメータの段階数が最大数Ｎ未満であると判断された場合、画質調整画面が変更されて、選択された２個のサンプル画像を含む、画質パラメータの値が段階的に変化するＮ個未満のサンプル画像が表示部(15)に表示される(Ｓ１７)。
【００２０】
ステップＳ７にて、例えば、表示されているサンプル画像の中で画質パラメータの値が最大であるサンプル画像と、最小であるサンプル画像とが選択された場合や、後述するようにＮ個未満のサンプル画像が表示されている状態で、２個のサンプル画像が選択された場合など、２個のサンプル画像が選択されても画質調整画面を変更する必要がない事態が起こり得る。このような場合、ステップＳ１１にて、画質調整画面を変更する必要がないと判断されて、例えば現在表示されている画質調整画面の隅に、画質調整画面が変更されなかった旨を示す警告用の文字列が表示される(Ｓ１９)(例えば、文字列は、図５Ａ等に示すリターンキー(57)の左側に表示される)。
【００２１】
ステップＳ５で表示された状態以外の画質調整画面には、リターンキー(57)が表示されており(図５Ａ等を参照)、ステップＳ１５乃至１９の何れかの後、リターンキー(57)(上のタッチパネル(29)の領域)が押された否かが判断される(Ｓ２１)。リターンキー(57)が押された場合、従前の画質調整画面を表示部(15)に表示する処理が行われる(Ｓ２３)。リターンキー(57)が押されなかった場合又はステップＳ２３の後、ユーザによるサンプル画像の選択が再度行われる。画質調整画面にてユーザが１個のサンプル画像を選択すると、ステップＳ７及びＳ９が行われて、画質調整動作は終了する。
【００２２】
図４乃至６は、画質調整動作の模様を具体例に示す説明図である。例えば、図４Ａに示すような動画像が表示部(15)に表示されている状態にて、図２に示すステップＳ１及びＳ３が行われると、ステップＳ５が実行されて、図４Ｂに示す画質調整画面が表示される。ステップＳ３では、調整する画質パラメータとして、明るさが選択されている。実施例のテレビジョン装置(1)では、画像の明るさを１９段階で調整可能であって、画質調整画面の左上には、パラメータの値が最も大きい(値が１番目)、つまり最も明るいサンプル画像(41)が示される。また、画質調整画面の右下には、パラメータの値が最も小さい(値が１９番目)、つまり最も暗いサンプル画像(43)が示される。画質調整画面の右上には、パラメータの値が７番目のサンプル画像(45)が示され、画質調整画面の左下には、パラメータの値が１３番目のサンプル画像(47)が示される。
【００２３】
図４Ｂに示す画質調整画面において、右上のサンプル画像(45)(パラメータの値が７番目)と左下のサンプル画像(47)(パラメータの値が１３番目)が選択された場合、ステップＳ７、Ｓ１１、Ｓ１３及びＳ１５が実行されて、図５Ａに示す画質調整画面が表示される。画質調整画面の左上には、パラメータの値が７番目のサンプル画像(45)が示される。画質調整画面の右下には、パラメータの値が１３番目のサンプル画像(47)が示される。また、画質調整画面の右上には、パラメータの値が９番目のサンプル画像(49)が示されて、画質調整画面の左下には、パラメータの値が１１番目のサンプル画像(51)が示される。
【００２４】
図４Ｂに示す画質調整画面において、右上のサンプル画像(45)(パラメータの値が７番目)と右下のサンプル画像(43)(パラメータの値が１９番目)が選択された場合、ステップＳ７、Ｓ１１、Ｓ１３及びＳ１５が実行されて、図５Ｂに示す画質調整画面が表示される。画質調整画面の左上には、パラメータの値が７番目のサンプル画像(45)が示される。画質調整画面の右下には、パラメータの値が１９番目のサンプル画像(43)が示される。また、画質調整画面の右上には、パラメータの値が１１番目のサンプル画像(51)が示されて、画質調整画面の左下には、パラメータの値が１５番目のサンプル画像(53)が示される。
【００２５】
図５Ａに示す画質調整画面において、左下のサンプル画像(51)(パラメータの値が１１番目)と右下のサンプル画像(47)(パラメータの値が１３番目)が選択された場合、ステップＳ７、Ｓ１１、Ｓ１３及びＳ１７が実行されて、図６に示す画質調整画面が表示される。画質調整画面の左上には、パラメータの値が１１番目のサンプル画像(51)が示される。画質調整画面の右上には、パラメータの値が１２番目のサンプル画像(55)が示される。また、画質調整画面の左下には、パラメータの値が１３番目のサンプル画像(47)が示されて、画質調整画面の右下には、サンプル画像は示されない。
【００２６】
図５Ａに示す画質調整画面において、パラメータの値が９番目である右上のサンプル画像(49)と、パラメータの値が１３番目である右下のサンプル画像(47)が選択された場合、ステップＳ７、Ｓ１１、Ｓ１３及びＳ１５が実行されて、例えば、パラメータの値が９番目、１０番目、１２番目及び１３番目であるサンプル画像を示す画質調整画面が表示される。また、図５Ｂに示す画質調整画面において、パラメータの値が１１番目である右上のサンプル画像(51)と、パラメータの値が１９番目である右下のサンプル画像(43)が選択された場合、ステップＳ７、Ｓ１１、Ｓ１３及びＳ１５が実行されて、例えば、パラメータの値が１１番目、１４番目、１６番目及び１９番目であるサンプル画像を示す画質調整画面が表示される。
【００２７】
上記の実施例では、図２のステップＳ１７及びＳ１９にて、ステップＳ７にて選択された２個のサンプル画像を含む画像調整画面が表示されている。しかしながら、必ずしもこのように処理が行われる必要はなく、これらのサンプル画像を含まないように画像調整画面が変更されてもよい。つまり、ステップＳ１７及びＳ１９では、Ｎ個又はＮ個未満のサンプル画像の画質パラメータの値は、ステップＳ７で選択された２個のサンプル画像の値の大きい方の値未満であって、小さい方の値よりも大きくされる。画質パラメータの値の間隔は、先と同様に均等に又はできるだけ均等にされるのが好ましい。例えば、図４Ｂに示す画像調整画面にて、右上のサンプル画像(45)(パラメータの値が７番目)と左下のサンプル画像(47)(パラメータの値が１３番目)が選択された場合、ステップＳ７、Ｓ１１、Ｓ１３及びＳ１５が実行されて、パラメータの値が８番目、９番目、１１番目及び１２番目のサンプル画像を示すように画像調整画面が変更される。変更された画像調整画面において、パラメータの値が９番目及び１１番目のサンプル画像が選択された場合、ステップＳ７、Ｓ１１、Ｓ１３及びＳ１７が実行されて、パラメータの値が１０番目のサンプル画像(とリターンキー(57))を含むように画像調整画面が変更される(画像調整画面には、１個のサンプル画像のみが示される)。
【００２８】
テレビジョン装置(1)にて画質パラメータの値を連続的に変更可能である場合、画質パラメータの値をユーザが操作キー(27)を用いて指定する画質調整動作に加えて、図７のフローチャートに示す画質調整動作が行われてもよい。まず、図２に示した画質調整動作と同様に、動画像の全画面表示中に画質調整動作の実行が指示されると、画質パラメータ選択用の画面が、表示部(15)にオンスクリーン表示される(Ｓ７１)。当該画面には、選択可能な画質パラメータを示す文字列に加えて、画質調整画面にて一度に表示するサンプル画像数Ｋを示す数字と、当該数字を増減するアップキー及びダウンキーとが含まれており、ユーザによりタッチパネル(29)が操作されて、画質パラメータとサンプル画像数Ｋとが選択される(Ｓ７３)。
【００２９】
ステップＳ７３の後、選択された画質パラメータが最大値及び最小値であるサンプル画像を含んだＫ個のサンプル画像を示す画質調整画面を表示部(15)に表示する処理が行われる(Ｓ７５)。ステップＳ７５では、図３に示した処理と同様な処理が行われる。なお、Ｋ個のサンプル画像の画質パラメータは、最大値と最小値の間にて、一定の間隔で、つまり(最大値−最小値)/(サンプル画像数Ｋ−１)で変化するように定められる。
【００３０】
ステップＳ７５の後、表示部(15)に表示された画質調整画面を用いて、ユーザによるサンプル画像の選択が行われる。図２に示した画質調整動作と同様に、サンプル画像の選択はタッチパネル(29)を用いて行われて、１又は２個のサンプル画像が選択される。ＣＰＵ(19)は、どのサンプル画像が選択されたかを特定し(Ｓ７７)、１個のサンプル画像が選択された場合には、図２に示すステップＳ９と同様にして、画質パラメータが選択されたサンプル画像の値になるように動画像の全画面表示が再開される(Ｓ７９)。
【００３１】
ステップＳ７７にて、２個のサンプル画像が選択されたと判断された場合、選択されたサンプル画像の画質パラメータの差を、サンプル画像数Ｋから１を引いた数で割った値が所定の値以上であるか否かが判断される(Ｓ８１)。所定の値以上である場合には、ステップＳ８１の後、ステップＳ７７にて選択されたサンプル画像を含むＫ個のサンプル画像を示す画質調整画面を表示部(15)に表示する処理が行われる(Ｓ８３)。ステップＳ８３では、図３に示した処理と同様な処理が行われる。Ｋ個のサンプル画像の画質パラメータは、ステップＳ７７にて選択された２個のサンプル画像の値の間にて、一定の間隔で、つまり、選択されたサンプル画像における画質パラメータの差/(サンプル画像数Ｋ−１)で変化するように定められる。ステップＳ７７にて選択されたサンプル画像の画質パラメータの差を、サンプル画像数Ｋから１を引いた数で割った値が所定の値未満である場合、画質調整画面の変更は行われず、その旨を示す文字列が表示される(Ｓ８５)。
【００３２】
ステップＳ７５で表示される最初の画面以外の画質調整画面には、図５Ａ等に示すようなリターンキーが表示されており、ステップＳ８３又はＳ８５の後、リターンキーが押された否かが判断される(Ｓ８７)。リターンキーが押された場合、従前の画質調整画面を表示部(15)に表示する処理が行われる(Ｓ８９)。リターンキーが押されなかった場合又はステップＳ８９の後、ユーザによるサンプル画像の選択が再度行われる。画質調整画面にてユーザが１個のサンプル画像を選択すると、ステップＳ７７及びＳ７９が行われて、画質調整動作が終了する。
【００３３】
上記の実施例では、図７のステップＳ８３にて、ステップＳ７７にて選択された２個のサンプル画像を含む画像調整画面が表示されている。しかしながら、必ずしもこのように処理が行われる必要はなく、これらのサンプル画像を含まないように画像調整画面が変更されてもよい。この場合、ステップＳ８３では、Ｋ個のサンプル画像の画質パラメータの値は、ステップＳ７７で選択された２個のサンプル画像の値の大きい方の値未満であって、小さい方の値よりも大きくされる。また、それらの値は、選択されたサンプル画像における画質パラメータの差/(サンプル画像数Ｋ＋１)で変化するように定められる。また、ステップＳ８１は、選択されたサンプル画像の画質パラメータの差を、サンプル画像数Ｋに１を足した数で割った値が所定の値以上であるか否かが判断されるように変更される。
【００３４】
本発明の画像表示装置は、上述したテレビジョン装置(1)のような画像信号を再生する装置ではなく、カーナビゲーション装置のような画像を描画して表示する装置に適用することも可能である。図８は、本発明の第２実施例であるカーナビゲーション装置の概要を示すブロック図である。カーナビゲーション装置(71)のＧＰＳ受信部(73)は、ＧＰＳ(Global Positioning System)衛星から発せられた電波を、アンテナ(75)を介して受信する。カーナビゲーション装置(71)は車両に搭載されており、ＣＰＵ(77)は、ＧＰＳ受信部(73)で受信された信号と、ジャイロセンサーや車速センサー等を含むセンサー部(79)から送られる信号に基づいて、車両の現在位置を算出する。記録部(81)は、例えば、ハードディスク装置であって、車両を誘導する誘導経路を算出するプログラムや地図データ等を記録しており、当該プログラムがＣＰＵ(77)にて実行されて、車両の誘導経路が算出される。
【００３５】
誘導経路が算出されると、描画部(83)は、地図データを参照して、誘導画面の画像データを、つまり車両の現在位置付近の地図の画像データを作成する処理を行う。作成された画像データは表示制御部(85)に送られて、誘導画面が表示部(87)に表示される。車両の移動に伴って新たな画像データが作成されて、誘導画面の更新が適宜行われる。カーナビゲーション装置(71)は、上述した構成要素の他に、ＲＡＭ(89)、ＲＯＭ(91)、操作キー(93)、タッチパネル(95)及び操作制御部(97)を具えている。図１に示すテレビジョン装置(1)に含まれる構成要素と同様又または類似の構成要素については、説明を省略する。
【００３６】
カーナビゲーション装置(71)における画質パラメータの調整は、図２又は図７に示した画像調整動作と基本的に同様に行われる。図９Ａ及びＢは、カーナビゲーション装置(71)の表示部(87)における表示画面の例であって、図９Ａに示すような誘導画面が表示されている状態にて、画質調整動作が行われると、図２のステップＳ５又は図７のステップＳ７５に相当する処理が実行されて、図９Ｂに示すように、サンプル画像として縮小された複数の誘導画面を示す画質調整画面が表示される。なお、図２のステップＳ５等に相当するステップにおいて、複数のサンプル画像を示す画質調整画面の画像データは、描画部(83)にて作成されて表示制御部(85)に送られるか、画質パラメータの値が異なる縮小された誘導画面の画像データが表示制御部(85)に送られて、表示制御部(85)にて画質調整画面の画像データが合成される。カーナビゲーション装置(71)では、明るさ、コントラスト、ガンマ値、色相、及び彩度等の表示画面全体に関する画質パラメータも調整できるが、表示画面の一部に関する画質が調整されてもよい。例えば、図９Ａに示す誘導経路(99)の色調のみを画像調整動作において(例えば、暖色と寒色の間で)調整することができ、誘導経路(99)の色調のみが異なる複数のサンプル画像が表示される。
【００３７】
テレビジョン装置(1)及びカーナビゲーション装置(71)を実施例にして本発明を説明してきたが、本発明は、静止画像を再生する機能を有する画像表示装置に適用されてもよく、例えば、小型の表示部を有するデジタルスチルカメラやプリンタに対して、本発明は効果的に適用されるであろう。また、本発明は、動画像と静止画像とを再生する機能を有する画像表示装置に適用されてもよいことは当然である。
【００３８】
上記実施例の説明は、本発明を説明するためのものであって、特許請求の範囲に記載の発明を限定し、或いは範囲を減縮する様に解すべきではない。また、本発明の各部構成は上記実施例に限らず、特許請求の範囲に記載の技術的範囲内で種々の変形が可能であることは勿論である。
【図面の簡単な説明】
【００３９】
【図１】本発明の実施例であるテレビジョン装置の概要を示すブロック図である。
【図２】本発明の実施例のテレビジョン装置における画質調整動作を示すフローチャートである。
【図３】本発明の実施例のテレビジョン装置における画質調整画面の表示処理を示すフローチャートである。
【図４】図４Ａは、本発明の実施例のテレビジョン装置に表示された画像の一例を示す説明図であり、図４Ｂは、同テレビジョン装置に表示された画質調整画面の一例を示す説明図である。
【図５】図５Ａ及び図５Ｂは、本発明の実施例のテレビジョン装置に表示された画質調整画面の一例を示す説明図である。
【図６】本発明の実施例のテレビジョン装置に表示された画質調整画面の一例を示す説明図である。
【図７】本発明の実施例のテレビジョン装置における画質調整動作を示すフローチャートである。
【図８】本発明の実施例であるカーナビゲーション装置の概要を示すブロック図である。
【図９】図９Ａは、本発明の実施例のカーナビゲーション装置に表示された誘導画面の一例を示す説明図であり、図９Ｂは、同カーナビゲーション装置に表示された画質調整画面の一例を示す説明図である。
【符号の説明】
【００４０】
(1)     テレビジョン装置
(11)    画質調整部
(13)    表示制御部
(15)    表示部
(17)    変倍部
(19)    ＣＰＵ
(29)    タッチパネル
(41-55）サンプル画像
(71)    カーナビゲーション装置
(77)    ＣＰＵ
(13)    表示制御部
(83)    描画部
(85)    表示制御部
(87)    表示部
(95)    タッチパネル
【図１】
2007147828.tif 000003
【図２】
2007147828.tif 000004
【図３】
2007147828.tif 000005
【図４】
2007147828.tif 000006
【図５】
2007147828.tif 000007
【図６】
2007147828.tif 000008
【図７】
2007147828.tif 000009
【図８】
2007147828.tif 000010
【図９】
2007147828.tif 000011